(57)【特許請求の範囲】
【請求項１】
複数の送信アンテナを有するユーザ装置から、複数の以前のダウンリンク送信に対応するアップリンク制御信号／状態ビットを送信する方法であって、前記制御信号／状態ビットが、複数の物理アップリンク制御チャネル（ＰＵＣＣＨ）リソースにわたり前記複数のアンテナを介して単一のアップリンクサブフレーム中に送信され、
第１の送信アンテナグループに対応する前記ＰＵＣＣＨリソースと、前記所定のダウンリンク制御チャネル要素との間に１対１マッピングが存在し、前記第１のアンテナグループのＰＵＣＣＨリソースから、第２のアンテナグループに対応するＰＵＣＣＨリソースが得られる
ことを特徴とする方法。
【請求項２】
前記制御信号が、制御信号又はビットの数及び状態のうち少なくとも一方を表すコードワードによって表される、
ことを特徴とする請求項１に記載の方法。
【請求項３】
前記制御信号／状態ビットが、ＡＣＫ、ＮＡＣＫ、又はＤＴＸのいずれかの１つ又はそれ以上である、
ことを特徴とする請求項１又は請求項２に記載の方法。
【請求項４】
前記制御信号／状態ビットが、前記制御信号／状態ビット及びこれらの数のうち少なくとも一方を表す１又はそれ以上のコードワードの形でアップリンク送信される、
ことを特徴とする請求項１から請求項３のいずれかに記載の方法。
【請求項５】
前記状態ビットが、所定の状態ビットの数及び組み合わせを表すコードワードにバンドルされる、
ことを特徴とする請求項１から請求項４のいずれかに記載の方法。
【請求項６】
前記状態ビット／制御信号が、配置点、チャネル、選択されたＰＵＣＣＨリソースのうち少なくとも１つに応じて前記アップリンクにより解釈される、
ことを特徴とする請求項１から請求項５のいずれかに記載の方法。
【請求項７】
前記配置点、及び異なるコードワードに対応する選択されたＰＵＣＣＨリソースが、受信時に前記ユークリッド距離を最大にする、
ことを特徴とする請求項６に記載の方法。
【請求項８】
前記ＰＵＣＣＨリソースが、ＰＵＣＣＨチャネル／フォーマットである、
ことを特徴とする請求項１から請求項７のいずれかに記載の方法。
【請求項９】
個々のアンテナが専用のＰＵＣＣＨチャネルを有する、
ことを特徴とする請求項１から請求項８のいずれかに記載の方法。
【請求項１０】
２つよりも多くのアンテナが提供され、２又はそれ以上のアンテナが同じチャネルを共有する、
ことを特徴とする請求項１から請求項９のいずれかに記載の方法。
【請求項１１】
占有されたＰＵＣＣＨチャネルが、送信アンテナ間で交換される、
ことを特徴とする請求項１から請求項１０のいずれかに記載の方法。
【請求項１２】
２つよりも多くのアンテナが存在する場合、ＰＵＣＣＨリソースを割り当てるために前記アンテナをグループ化するステップを含む、
ことを特徴とする請求項１から請求項１１のいずれかに記載の方法。
【請求項１３】
ＴＤＤ又はＦＤＤシステムの一部である、
ことを特徴とする請求項１から請求項１２のいずれかに記載の方法。
【請求項１４】
前記アップリンク送信した状態ビット／制御信号の空間ダイバーシティを最大化するようになっている、
ことを特徴とする請求項１から請求項１３のいずれかに記載の方法。
【請求項１５】
複数の送信アンテナと、
複数の以前のダウンリンク送信に対応するアップリンク制御信号／状態ビットを送信するための手段と、
単一のアップリンクサブフレームマッピング中に、複数の物理アップリンク制御チャネル（ＰＵＣＣＨ）リソースにわたり前記複数の送信アンテナを介して前記制御信号／状態ビットを送信するための手段と、
第１の送信アンテナグループに対応する前記ＰＵＣＣＨリソースと、前記所定のダウンリンク制御チャネル要素との間の１対１のマッピングを実現するためのマッピング手段とを有し、
前記第１のアンテナのＰＵＣＣＨリソースから、前記第２のアンテナグループに対応するＰＵＣＣＨリソースが得られる、
ことを特徴とするネットワーク要素。
【請求項１６】
前記制御信号が、制御信号又はビットの数及び状態のうち少なくとも一方を表すコードワードによって表される、
ことを特徴とする請求項１５に記載のネットワーク要素。
【請求項１７】
前記制御信号／状態ビットが、ＡＣＫ、ＮＡＣＫ、又はＤＴＸのいずれかの１つ又はそれ以上である、
ことを特徴とする請求項１５又は請求項１６に記載のネットワーク要素方法。
【請求項１８】
前記制御信号／状態ビットを、前記制御信号／ビット及びこれらの数のうち少なくとも一方を表す１又はそれ以上のコードワードの形でアップリンク送信するための手段を有する、
ことを特徴とする請求項１５から請求項１７のいずれかに記載のネットワーク要素。
【請求項１９】
前記状態ビットが、所定の状態ビットの数及び組み合わせを表すコードワードにバンドルされる、
ことを特徴とする請求項１５から請求項１８のいずれかに記載のネットワーク要素。
【請求項２０】
前記ＰＵＣＣＨリソースがＰＵＣＣＨチャネルである、
ことを特徴とする請求項１５から請求項１９のいずれかに記載のネットワーク要素。
【請求項２１】
前記ＰＵＣＣＨリソースがＰＵＣＣＨフォーマットである、
ことを特徴とする請求項１５から請求項２０のいずれかに記載のネットワーク要素。
【請求項２２】
個々のアンテナが専用のＰＵＣＣＨチャネルを有する、
ことを特徴とする請求項１５から請求項２１のいずれかに記載のネットワーク要素。
【請求項２３】
２つよりも多くのアンテナと、２又はそれ以上のアンテナが同じチャネルを共有するような手段とを有する、
ことを特徴とする請求項１５から請求項２２のいずれかに記載のネットワーク要素。
【請求項２４】
前記共有手段がビーム形成手段により実現される、
ことを特徴とする請求項１５から請求項２３のいずれかに記載のネットワーク要素。
【請求項２５】
占有されたＰＵＣＣＨチャネルを送信アンテナ間で交換するための手段を有する、
ことを特徴とする請求項１５から請求項２４のいずれかに記載のネットワーク要素。
【請求項２６】
２つよりも多くのアンテナと、ＰＵＣＣＨリソースを割り当てるために前記アンテナをグループ化するための手段とを有する、
ことを特徴とする請求項１５から請求項２５のいずれかに記載のネットワーク要素。
【請求項２７】
ＴＤＤ又はＦＤＤ  ＬＴＥ−Ａｄｖａｎｃｅｄシステムの一部である、
ことを特徴とする請求項１５から請求項２６のいずれかに記載のネットワーク要素。
【請求項２８】
前記アップリンク送信した状態ビット／制御信号の空間ダイバーシティを最大化するようになっている、
ことを特徴とする請求項１５から請求項２７のいずれかに記載のネットワーク要素。
【請求項２９】
ユーザ装置である、
ことを特徴とする請求項１５から請求項２８のいずれかに記載のネットワーク要素。
【請求項３０】
請求項１から請求項１４のいずれかに記載の方法に従って送信された前記アップリンク制御信号／状態ビットを受け取るようになっている、
ことを特徴とするネットワーク要素。
【請求項３１】
請求項１５から請求項２９に記載の前記ネットワーク要素からアップリンク制御信号／状態ビットを受け取るようになっている、
ことを特徴とするネットワーク要素。
【請求項３２】
前記状態ビット／制御信号を、配置点、チャネル、選択されたＰＵＣＣＨリソースのうち少なくとも１つに応じて解釈するための手段を有する、
ことを特徴とする請求項３１に記載のネットワーク要素。
【請求項３３】
請求項１から請求項１４のいずれかに記載の方法を実施するコンピュータプログラムを含む、
ことを特徴とするコンピュータ可読媒体。
【発明の詳細な説明】
【技術分野】
【０００１】
本発明は、通信システムなどにおいてデータをスケジューリングする方法に関し、特に、用途を限定するわけではないが、セルラ通信システムにおいて制御データを送信することに関する。
【背景技術】
【０００２】
通信システムは、通信装置、ネットワークエンティティ及びその他のノードなどの２又はそれ以上のエンティティ間における通信を容易にする手段である。通信システムは、１又はそれ以上の相互接続されたネットワークによって実現することができる。通信装置は、この装置を相手方との通信に使用できるようにする適当な通信機能及び制御機能を備えた装置として理解することができる。通信は、例えば、音声、電子メール（ｅメール）、テキストメッセージ、データ、マルチメディアなどの通信を含むことができる。通常、通信装置は、装置のユーザが通信システムを介して通信を送受信できるようにし、したがって様々なサービスアプリケーションへのアクセスに使用することができる。
【０００３】
セルラシステムでは、基地局の形のネットワークエンティティが、１又はそれ以上のセル内のモバイル機器と通信するためのノードを提供する。多くの場合、基地局は「ノードＢ」と呼ばれる。基地局とユーザ装置の間の送信信号を処理するための多くの異なる技術が存在する。通常、アクセスシステムの基地局装置及びその他の装置の通信に必要な動作は、特定の制御エンティティにより制御される。通常、この制御エンティティは、特定の通信ネットワークの他の制御エンティティと相互接続される。
【０００４】
１つの種類のアクセスアーキテクチャの非限定的な例に、第３世代パートナシッププロジェクトロングタームエボリューション（３ＧＰＰ  ＬＴＥ）規格の一部である進化型ユニバーサル地上無線アクセス（Ｅ−ＵＴＲＡ）として知られている概念がある。Ｅ−ＵＴＲＡアーキテクチャでは、ダウンリンク（すなわち基地局から移動局方向）に直交周波数分割多元接続（ＯＦＤＭＡ）を使用し、アップリンク（移動局から基地局方向）にシングルキャリア周波数分割多元接続（ＳＣ−ＦＤＭＡ）を使用することが提案されている。３ＧＰＰシステムでは、一般的な制御チャネル構造に関して、制御とデータを分割すること、及びこれらの両方が時間領域多重化を使用し、例えば物理ダウンリンク制御チャネル（ＰＤＣＣＨ）では、個々のＴＴＩ（送信時間間隔）における複数のＯＦＤＭシンボルが、（モバイル／ユーザ装置ＵＥなどの）複数のユーザ装置のための制御チャネルを搬送し、ＯＦＤＭシンボルの組が複数のユーザのための共有チャネル（ＰＤＳＣＨ）を搬送することが提案されている。
【０００５】
本発明は、３ＧＰＰのＬＴＥ−Ａｄｖａｎｃｅｄシステムのさらなる改善に関し、より詳細にはＵＬ制御チャネル設計に関する。
【０００６】
ＬＴＥ−Ａｄｖａｎｃｅｄシステムは、ＬＴＥ  Ｒｅｌ'８システムの次の主要なステップであり、国際電気通信連合（ＩＴＵ）が規定する第４世代（４Ｇ）通信ネットワークの要件を満たすものである。ＬＴＥ−Ａｄｖａｎｃｅｄシステムでは、最大４つの送信アンテナを有するＳＵ−ＭＩＭＯがサポートされる。
【０００７】
ＬＴＥ−Ａｄｖａｎｃｅｄは、Ｒｅｌ’８タイプの物理アップリンク制御チャネル（ＰＵＣＣＨの）を適用して、肯定応答（ＡＣＫ）／否定応答（ＮＡＫ）、チャネル品質インジケータ（ＣＱＩ）、及びスケジューリング要求（ＳＲ）インジケータなどの制御信号をユーザ装置（ＵＥ）から拡張ノードＢ（ｅＮＢ）へ送信する。
【発明の概要】
【発明が解決しようとする課題】
【０００８】
ＬＴＥ−Ａｄｖａｎｃｅｄなどのシステムに関するＵＬ制御シグナリングについては、様々な方式が提案されてきた。ＵＬカバレッジの観点からは、シングルキャリア送信が好ましい解決策である。しかしながら、コンポーネントキャリア（ＣＣ）固有のＨＡＲＱ及び送信ブロックを考慮することによってＡＣＫ／ＮＡＫのシグナリングという点から見ると問題がある。ＣＣ固有のＨＡＲＱ／トランスポートブロックを仮定すると、１つのＵＬサブフレーム中に複数のＡＣＫ／ＮＡＣＫビットを送信する必要がある。同時に、（ＣＣ固有のＰＤＣＣＨを仮定すると）予約された複数のＰＵＣＣＨフォーマット１ａ／１ｂリソースが存在するようになる。予約されたＰＵＣＣＨリソースの各々は、１つのサブフレーム中に最大２つのＡＣＫ／ＮＡＣＫビットを送信することができる。ＵＥが複数のリソースを介して複数のＡＣＫ／ＮＡＣＫビットを同時に送信するとＰＡＰＲが大幅に高くなるという問題がある。従来技術における、Ｒｅｌ’８  ＴＤＤに関するＰＵＣＣＨシグナリングについて説明した。しかしながら、上述したように、従来技術では、複数のＰＵＣＣＨリソース及び複数の送信アンテナを同時に使用することを考慮していない。
【０００９】
複数の送信アンテナ及び１つよりも多くのＰＵＣＣＨフォーマット１ａ／１ｂを有するＵＥを使用する場合のＰＵＣＣＨ送信を最適化して整えることが本発明の目的である。図３に、ＰＵＣＣＨフォーマットの例を示している。
【課題を解決するための手段】
【００１０】
本発明は、複数の送信アンテナを有するユーザ装置から、複数の以前のダウンリンク送信に対応するアップリンク制御信号／状態ビットを送信する方法を含み、前記制御信号は、複数のＰＵＣＣＨリソースにわたり前記複数のアンテナを介して単一のアップリンクサブフレーム中に送信される。
【００１１】
第１の送信アンテナ（グループ）に対応するＰＵＣＣＨリソースと、所定のダウンリンク制御チャネル要素との間に１対１のマッピングが存在し、この第１のアンテナのＰＵＣＣＨリソースから第２のアンテナ（グループ）に対応するＰＵＣＣＨリソースを得ることが好ましい。
【００１２】
制御信号は、制御信号又はビットの数及び／又は状態を表すコードワードによって表される。これらの制御信号は、ＡＣＫ、ＮＡＣＫ、又はＤＴＸのいずれの１又はそれ以上であってもよい。
【００１３】
高度な実施形態では、前記制御信号／状態ビットが、制御信号／ビット及び／又はこれらの数を表す１又はそれ以上のコードワードの形でアップリンク送信される。
【００１４】
状態ビットをコードワードにバンドルして、該コードワードが所定の状態ビットの数及び組み合わせを表すようにすることができる。状態ビット／制御信号は、配置点及び／又はチャネル及び／又は選択されたＰＵＣＣＨリソースに応じてアップリンクにより解釈される。
【００１５】
異なるコードワードに対応する前記配置点及び選択されたＰＵＣＣＨリソースが、受信時にユークリッド距離を最大化することが好ましい。
【００１６】
個々のアンテナは、専用のＰＵＣＣＨチャネルを有することが好ましい。アンテナが２つよりも多い場合、２又はそれ以上のアンテナが同じチャネルを共有することができる。
【００１７】
占有されたＰＵＣＣＨチャネルを、送信アンテナ間で交換することができる。アンテナが２つよりも多い場合、ＰＵＣＣＨリソースを割り当てるために前記アンテナをグループ化する。
【００１８】
この方法は、ＴＤＤ又はＦＤＤシステムの一部とすることができる。
【００１９】
本発明はまた、複数の以前のダウンリンク送信に対応するアップリンク制御信号／状態ビットを送信するための手段を有し、複数の送信アンテナを有し、単一のアップリンクサブフレーム中に、複数のＰＵＣＣＨリソースにわたり前記複数のアンテナを介して前記制御信号を送信するための手段を有するネットワーク要素も含む。
【００２０】
本発明は、上述したような本発明の方法を実施するコンピュータプログラムを含むコンピュータ可読媒体も含む。
【００２１】
本発明、及び本発明をどのように実施できるかをより良く理解するために、ここでほんの一例として添付図面を参照する。
【図面の簡単な説明】
【００２２】
【図１】本発明を具体化できる通信システムの概略図である。
【図２】通信ユーザ装置の断面図である。
【図３】アップリンク制御で使用される典型的なＰＵＣＣＨフォーマットの表である。
【図４】例示的なチャネル化フォーマットの表である。
【図５】従来技術の方法と本発明の実施形態を比較した２つの表である。
【図６】バンドリングモードにおける、本発明の様々な実施形態のチャネル選択を示す３つの表である。
【図７】バンドリングモードにおける、本発明の様々な実施形態のチャネル選択を示す３つの表である。
【図８】多重化モードにおける、高度「ツリー構造」法による本発明の実施形態を示す２つの表である。
【図９】多重化モードにおける、高度「ツリー構造」法による本発明の実施形態を示す２つの表である。
【図１０】多重化モードにおける、高度「ツリー構造」法による本発明の実施形態を示す２つの表である。
【図１１】多重化モードにおける、別の方法による本発明の実施形態を示す２つの表である。
【図１２】多重化モードにおける、別の方法による本発明の実施形態を示す２つの表である。
【発明を実施するための形態】
【００２３】
発明の背景についての説明
いくつかの例示的な実施形態を詳細に説明する前に、複数の通信装置１に無線通信を提供する通信システムを示す図１を参照しながら無線アクセスについて簡単に説明する。無線通信システムを介して提供される様々なサービス及び／又はアプリケーションにアクセスするために、モバイルユーザ機器、又は装置又は中継ノードなどの通信装置１を使用することができる。通常、通信装置は、少なくとも１つの無線送信機及び／又はアクセスシステムの受信機ノード１０を介して通信システムに無線でアクセスすることができる。アクセスノードの非限定的な例には、例えば、３Ｇ  ＷＣＤＭＡノードＢ、拡張ノードＢ（ｅＮＢ）又は３ＧＰＰ  ＬＴＥ（ロングタームエボリューション）の中継ノードなどのセルラシステムの基地局、無線ローカルエリアネットワーク（ＷＬＡＮ）の基地局、及び衛星通信システムの人工衛星局がある。通信装置１は、互いに直接通信することもできる。
【００２４】
通信は、適当な（１又は複数の）無線アクセス技術に基づいて様々な方法で構成することができる。アクセスは、アクセスチャネルとしても知られる無線チャネルを介して行われる。個々の通信装置１は、同時に開く１又はそれ以上の無線チャネルを有することができる。個々の通信装置は、１つよりも多くの基地局１０又は同様のエンティティに接続することができる。また、複数の通信装置が基地局又は同様のものと通信し、及び／又は同じ基地局を介して通信システムにアクセスしようと試みることもできる。複数の通信装置がチャネルを共有することもできる。例えば、通信を開始するために、又は新たなアクセスシステムに接続するために、複数の通信装置が、ランダムアクセスチャネル（ＲＡＣＨ）などの単一のチャネルを介して最初の接続を行おうと試みることができる。このアクセスの試みは、ほぼ同時に行うことができる。
【００２５】
１又はそれ以上の適当なゲートウェイノードのために、アクセスシステムの基地局１０を、適当な接続を介して通信システムの他の部分に接続することもできる。説明を明確にするために、これらについては図示していない。通常、基地局は、図１に１１で大まかに示す少なくとも１つの適当なコントローラにより制御される（このことは、ＧＳＭ（登録商標）及びＷＣＤＭＡについても当てはまる。しかしながら、ＬＴＥ及びＷｉＭＡＸにはもはやコントローラが存在せず、制御機能は、一般的なアクセスノード、基地局、ノードＢ、ｅＮＢ、ＡＰなどの適当なネットワーク要素に分散される）。コントローラ１１を提供して、基地局の動作及び／又は基地局を介した通信を管理することができる。通常、コントローラ装置は、メモリ容量及び少なくとも１つのデータプロセッサを備える。コントローラのデータ処理機能により、コントローラ内に様々な機能エンティティを提供することができる。基地局コントローラ内に提供される機能エンティティは、無線リソース制御、アクセス制御、パケットデータコンテキスト制御、中継制御などに関する機能を提供することができる。
【００２６】
基地局１０などのネットワーク要素は、ネットワーク管理動作サポートシステム（ＯＳＳ）を使用することによって管理される。ＯＳＳの役割は、ネットワークインベントリの維持、サービスの提供、ネットワーク構成要素の構成、障害の管理などの処理をサポートすることである。ＯＳＳアーキテクチャは、ビジネス管理レベル（ＢＭＬ）、サービス管理レベル（ＳＭＬ）、ネットワーク管理レベル（ＮＭＬ）、要素管理レベル（ＥＭＬ）という４つの層に基づく。ネットワーク管理システム（ＮＭＳ）又は要素管理システム（ＥＭＳ）からネットワーク要素を管理することができる。基地局１０は、オープンＩｔｆ−Ｎ（いわゆる、ノースバウンドインターフェイス）を介してＮＭＳに、又は独自のＩｔｆ−Ｓインターフェイス（サウスバウンドインターフェイス）を介してＥＭＳに接続される。
【００２７】
通信装置１を使用して、電話を掛けたり受けたりなどの様々なタスクを行い、データネットワークとの間でデータを送受信し、また例えばマルチメディア又はその他のコンテンツを体験することができる。例えば、通信装置は、インターネットプロトコル（ＩＰ）又はその他のいずれかの適当なプロトコルに基づいて提供されるアプリケーションなどの、電話ネットワーク及び／又はデータネットワークを介して提供されるアプリケーションにアクセスすることができる。アクセスシステムからの無線信号を少なくとも送信及び／又は受信できるいずれかの装置により、適当なモバイル通信装置を実現することができる。非限定的な例として、携帯電話機又はスマートフォンなどの移動局（ＭＳ）、無線インターフェイスカード又はその他の無線インターフェイス手段を備えたポータブルコンピュータ、無線通信能力を備えた携帯情報端末（ＰＤＡ）、又はこれらのいずれかの組み合わせなどが挙げられる。
【００２８】
図２に示すように、通常、通信装置１は、少なくとも１つのデータプロセッサ５などの適当なデータ処理装置を備える。通常は、少なくとも１つの記憶装置６も備える。これらのデータ処理及び記憶エンティティは、適当な回路基板上、及び／又はチップセット内に提供することができる。異なるチップによって異なる機能及び動作を提供することができる。或いは、少なくとも部分的に統合されたチップを使用することもできる。アンテナ手段４、ディスプレイ２、及び／又はキーパッド３を提供することもできる。
【００２９】
Ｒｅｌ’８  ＴＤＤにおける単一キャリア特性を保持するために、ＵＬサブフレームごとに複数のＡＣＫ／ＮＡＣＫビットをシグナリングする場合のＰＵＣＣＨチャネル選択技術が提案がされてきた。ＬＴＥ  Ｒｅｌ’８  ＴＤＤでは、ＤＬ／ＵＬ構成が非対称の場合、ＵＥは１つのＵＬサブフレーム中に複数のＤＬサブフレームに関連するＡＣＫ／ＮＡＫを報告することができる。複数のＤＬサブフレームのＡＣＫ／ＮＡＫシグナリングは、ＡＣＫ／ＮＡＫバンドリングモード又はＡＣＫ／ＮＡＫ多重化モードのいずれかを使用して行うことができる。
【００３０】
制御ビットをバンドルすることもできる。バンドルするという用語は、複数のＡＣＫ／ＮＡＣＫ／ＤＴＸビットを表すコードワード又は１又はそれ以上のビットを提供することに相当する。ＡＣＫ／ＮＡＫバンドリングモードでは、最初にＡＣＫ／ＮＡＫビットを時間領域にバンドルして１ビット（又は複数コードワード（ＭＣＷ）ＤＬ送信では２ビット）を獲得し、変調し、その後最後に検出されたＤＬグラントに対応するＰＵＣＣＨチャネルで送信する。換言すれば、ＡＣＫ／ＮＡＣＫバンドリングは、多重ＡＣＫ／ＮＡＣＫビットの論理積演算を行うことに相当することができる。
【００３１】
ＡＣＫ／ＮＡＫ多重化モードでは、単一のＰＵＣＣＨチャネルを介して２〜４ビットを送信できるようにするチャネル選択を使用する。選択するチャネル及び使用するＱＰＳＫ配置点は、３ＧＰＰ  ＴＳ３６．２１３  ｖ８５０の表１０．１−２、１０．１−３、及び１０．１−４によって例示されるように、複数のＤＬサブフレームのＡＣＫ／ＮＡＫ／ＤＴＸ状態に基づいて決定される。
【００３２】
本発明が解決する課題は、複数の送信アンテナを有する（又はより一般的には、複数のＰＵＣＣＨチャネルを同時に使用する）ＵＥを使用し、１つよりも多くのＰＵＣＣＨフォーマット１ａ／１ｂリソースが利用可能な場合に、ＰＵＣＣＨ送信を最適化して整える方法についての問題に関する。一般的には、本明細書を通じて、ＰＵＣＣＨリソースをＰＵＣＣＨチャネルと同等とすることができ、また通常は同等である。ＬＴＥ  Ｒｅｌ’８では、最も低いＰＤＣＣＨ制御チャネル要素と占有されたＰＵＣＣＨフォーマット１ａ／１ｂチャネルとの間に１対１のマッピングが存在する。この原理により、ＵＬで送信されるＤＬ  ＡＣＫ／ＮＡＣＫの暗黙的なリソース割り当てが可能になる。なお、３ＧＰＰでは、複数のＰＵＣＣＨフォーマット１ａ／１ｂリソースの使用に基づくＰＵＣＣＨ送信ダイバーシティ方式の支持が増えている。
【００３３】
ＬＴＥ  Ｒｅｌ’８  ＴＤＤでは、所与のＵＬサブフレームがＮ個の平行なＰＵＣＣＨチャネルを利用できると仮定するＡＣＫ／ＮＡＫ多重化構造が知られている。この状況では、利用可能なＰＵＣＣＨチャネル上でＱＰＳＫ変調及びＰＵＣＣＨチャネル選択を使用した場合、Ｎ×４個の考えられるＡＣＫ／ＮＡＫ／ＤＴＸの組み合わせを分離することができる。なお、この設計は、複数の送信アンテナを使用したＰＵＣＣＨ送信を考慮していない。
【００３４】
ＰＵＣＣＨにおけるＡＣＫ／ＮＡＫ多重化は、Ｒｅｌ’８  ＴＤＤで使用するチャネル選択技術によって実現することができる。この方法は、複数のＡＣＫ／ＮＡＫ／ＤＴＸビットから成るＡＣＫ／ＮＡＫ信号が、常に単一のＰＵＣＣＨフォーマット１ａ／１ｂリソースを介して送信されることを確実にする。ＰＵＣＣＨフォーマット１／１ａ／１ｂリソースは、リソースインデックスにより識別される。このリソースインデックスは、所定のＰＲＢの位置、所定の直交カバーコード、及び所定の循環シフトを有する。これらのリソースは、ＰＵＣＣＨのチャネル化により構成される。図４に、１８個のＰＵＣＣＨフォーマット１ａ／１ｂリソースを含むＰＲＢの例を示している。この構成では、ＰＲＢごとに１８個の平行なＰＵＣＣＨフォーマット１ａ／１ｂチャネルが存在する。
【００３５】
しかしながら、この解決策には２つの問題点／制限が存在する。第１に、この方法は単一のアンテナ送信のみを考慮するものであり、したがって複数の送信アンテナを有する場合には準最適となる。これは、シグナリング構成が、利用可能なＰＵＣＣＨリソース空間全体を利用していないという事実に起因する。第２に、ＴＤＤ  Ｒｅｌ’８の方法を直接複製した場合でも、サブフレーム当たり最大４ビットしかサポートすることができない。このため、サブフレーム当たり４ＡＣＫ／ＮＡＫビットよりも多くのビットが必要な場合、Ｒｅｌ’８  ＴＤＤ構造を拡張する必要が生じる。
【００３６】
以上の説明に基づいて、ＬＴＥ−ＡｄｖａｎｃｅｄシステムのＦＤＤモード及びＴＤＤモードの両方のＰＵＣＣＨのための改善されたＡＣＫ／ＮＡＫ送信方式が必要とされている。本発明は、空間ダイバーシティ及び複数のＰＵＣＣＨリソースの両方を利用してアップリンクＰＵＣＣＨ信号を送信する改善されたＡＣＫ／ＮＡＫ送信方式を提供する。
【００３７】
本発明の方式では、ＰＤＣＣＨ／ＨＡＲＱ処理ごとに利用可能なチャネルが２つ存在することができる。従来技術の方式では、ＰＤＣＣＨ／ＨＡＲＱ処理ごとに利用可能なチャネルが１つしか存在しないような設定である。本願では、少なくとも２つの送信アンテナを有するＳＵ−ＭＩＭＯの利用を考慮するという事実により、キュービックメトリック特性を増加させずに同時に２つのチャネルを介して送信することができる。このことは、Ｒｅｌ’８には当てはまらない。
【００３８】
Ｒｅｌ’８  ＴＤＤに関するＰＵＣＣＨシグナリングは、従来技術として理解することができる。しかしながら、上述したように、このシグナリングは、複数のアンテナで同時に送信を行うため、サブフレームごとに複数のＰＵＣＣＨリソースを使用することを考慮していない。通常、Ｎをコンポーネントキャリアの数及び／又は単一のアップリンクサブフレームに関連するサブフレームの数に等しいものとした場合、Ｎ×２個のチャネルが存在すること、そして単一のサブフレーム中に２つのチャネルを介して送信を行うことが想定される。「Ｍ」は、コンポーネントキャリアの数及び／又は単一のアップリンクサブフレームに関連するサブフレームの数を意味する。「Ｍ」は、「Ｎ」の代わりに指定される。
【００３９】
本発明の目的は、送信アンテナダイバーシティを含む複数のアンテナを介し、ＰＵＣＣＨフォーマット１ａ／１ｂチャネルを通じて（単複の）ＡＣＫ／ＮＡＫ信号を送信するための解決策を提供することであり、すなわちこの場合、シグナリングされるＡＣＫ／ＮＡＣＫ／ＤＴＸコードワードが複数のアンテナを介して送信される。
【００４０】
発明の説明
本発明の単純な実施形態では、複数のアンテナを介した所定数のＡＣＫ／ＮＡＣＫ／ＤＴＸに対応するコードワードを、送信アンテナが少なくとも２つのＰＵＣＣＨチャネルを利用できるようにしてアップリンク送信し、個々の送信アンテナで使用すべき選択されるＰＵＣＣＨチャネル及び配置点が、送信されるコードワードビット（これらのビットは、最後のＮ回のダウンリンク送信などの複数のダウンリンク送信からの状態（ＡＣＫ／ＮＡＣＫ／ＤＴＸ）を表す）に依存する。
【００４１】
複数の送信アンテナのためのＰＵＣＣＨチャネル及び配置点の選択には、ＵＥが受信した複数のＰＤＣＣＨ／ＰＤＳＣＨのＡＣＫ／ＮＡＣＫ／ＤＴＸの状態に関する情報が含まれる。全ての情報が、２つのＰＵＣＣＨフォーマット１ａ／１ｂチャネルを介して送信される。
【００４２】
１つの実施形態では、第１の送信アンテナに対応する占有されたＰＵＣＣＨフォーマット１ａ／１ｂチャネルと、最も低いＰＤＣＣＨ制御チャネル要素との間に１対１のマッピングが存在する。所定のルールに基づいて、この占有された１ａ／１ｂチャネルから第２のＰＵＣＣＨフォーマット１ａ／１ｂチャネルを得ることができる。
【００４３】
好ましい実施形態では、ＡＣＫ／ＮＡＫ／ＤＴＸの検出性能を最大にするために、異なる送信アンテナにより占有された所定の配置点及び所定のＰＵＣＣＨチャネル内へのコードワードのマッピングを、異なるコードワード間のユークリッド距離を最大化するように設計することができる。
【００４４】
さらなる好ましい実施形態では、ＮＡＫ及びＤＴＸの状態を、異なる所定の配置点ではあるが、同じ所定のＰＵＣＣＨチャネルをＡＣＫとして共有するように設定することができる。チャネル選択方式では、選択したＰＵＣＣＨチャネル及び選択した配置点という２つのパラメータによりＡＣＫ／ＮＡＫ／ＤＴＸの状態を識別する。このような実施形態では、ＮＡＫ及びＤＴＸ状態を、異なる配置点ではあるが同じＰＵＣＣＨチャネルにマッピングすることができる。したがって、ＰＵＣＣＨチャネルの検出を通じて、ＮＡＫ／ＤＴＸをＡＣＫ状態と区別することができる。そして、配置点の検出を通じてＤＴＸをＮＡＫ状態と区別することができる。このことは、ＡＣＫ／ＮＡＫ／ＤＴＸを検出する複雑さ、ひいてはコストを削減するという利点を有する。このような場合、送信アンテナごとに１つのＰＵＣＣＨチャネルを使用する。２つの選択されたＰＵＣＣＨチャネル及び選択された配置点の組み合わせを使用して、ＡＣＫ／ＮＡＫ／ＤＴＸ状態を一度に示す。
【００４５】
本発明の１つの実施形態によれば、異なる送信アンテナが、ＤＬの一定のコンポーネントキャリアにおける（単複の）ＰＤＳＣＨコードワードをＤＬサブフレームに関連付けることにより、ＰＵＣＣＨチャネルを占有することができる。
【００４６】
この方法は、単一のコンポーネントキャリアを有するＴＤＤにおいても、複数のコンポーネントキャリアを有するＴＤＤ／ＦＤＤにおいても使用することができる。
【００４７】
性能をさらに最適化するためのさらに好ましい実施形態では、占有されたＰＵＣＣＨチャネルを、スロット境界において送信アンテナ間で交換することができる。利用可能な２×Ｎ個のＰＵＣＣＨチャネルが存在する場合、１×Ｎ個のＰＵＣＣＨチャネルを第１のアンテナ専用にし、残りの１×Ｎ個のＰＵＣＣＨチャネルを第２のアンテナ専用にする。スロット境界において交換を行うことは、第１のアンテナと第２のアンテナの間でＰＵＣＣＨチャネルの設定を変更することを意味する。これにより、ＵＥの送信アンテナにおける出力不均衡に関する問題に対処する。
【００４８】
ＵＥ側で使用するアンテナが２つよりも多く存在する場合、さらに別の好ましい実施形態では、全ての利用可能なアンテナを２つのアンテナグループに分割することができる。ＰＵＣＣＨチャネルが、複数の送信アンテナから成るアンテナグループによって占有されている場合、ランダムビーム形成（ＢＦ）、又はＴＤＤの場合にはＳＶＤベースの位相ビーム形成などの適当なビーム形成をアンテナグループ内で適用することができる。ＰＵＣＣＨチャネルが複数のアンテナグループによって占有され、個々のグループを複数の送信アンテナで構成できる場合、複数のアンテナグループ間にランダムＢＦ（又は、ＴＤＤの場合にはＳＶＤベースの位相ＢＦ）を適用できることが望ましい。（単複の）アンテナグループ内／間のアンテナのグループ化及び／又はランダムビーム形成の重みは、スロット境界において変化させることができる。このことは、（ＰＵＣＣＨリソースを節約するために）２×Ｎ個にする必要があるＰＵＣＣＨチャネルの数に制限がないことを意味する。２つよりも多くのアンテナを有する場合、複数のアンテナが同じＰＵＣＣＨフォーマットリソースを共有することができる。
【００４９】
ＡＣＫ／ＮＡＣＫバンドリングモードでは、チャネル選択を使用して明示的なＤＴＸ（すなわち、ＤＬグラントが紛失した状態）指示をサポートすることができる。明示的なＤＴＸ検出は、ＤＴＸ、すなわちｅＮＢにおいてＰＤＣＣＨの不具合を明示的に検出できることを意味する。逆の場合には、ＤＴＸがＮＡＣＫ状態にマッピングされる。この場合、ｅＮＢは、ＤＴＸとＮＡＣＬを分離することができない。バンドルしたＡＣＫ／ＮＡＣＫを複数のアンテナを介して送信する場合、選択したＰＵＣＣＨチャネルの対と選択した配置点を組み合わせたものを使用して、正しく受け取られたＤＬグラントの数を、シグナリングされた値とともに示すようにシグナリングを実現することができる。１つのチャネルしか利用しない場合、最大出力を利用することができない。しかしながら、このような場合には、上述したように、２つよりも多くのアンテナを有する仮想化を追求することができる。
【００５０】
「値」は、ＵＥから見て正しく受信されたＰＤＣＣＨの数である。ＰＤＣＣＨの各々に不具合が生じ、すなわち、ｅＮＢがＰＤＣＣＨ／ＰＤＳＣＨを割り当ててもＵＥがＰＤＣＣＨを正しく受信しない場合もある。ＡＣＫ／ＮＡＣＫバンドリングの場合、ＵＥが全てのグラントを正しく受信しなければ、ＡＣＫをＵＬでさらにシグナリングすることができる。ＵＥは、バンドルした（単複の）ＡＣＫ／ＮＡＣＫビットの無線リンクにおいていくつかのＰＤＣＣＨに障害が発生したことを知らないので、これは不適切なＡＣＫとなる。
【００５１】
本発明の好ましい実施形態では、受け取ったＰＤＣＣＨの数に関する情報を、ＵＬにおけるバンドルしたＡＣＫ／ＮＡＣＫメッセージに含めるようにしてこのような問題を回避することができる。その後、ｅＮＢは、バンドルしたＡＣＫ／ＮＡＣＫが真のＡＣＫ／ＮＡＣを表すものであるかどうかを確認することができる。或いは、ＡＣＫ／ＮＡＣＫバンドリングを受けるＰＤＣＣＨの数がＤＬでシグナリングされる場合、ＵＥはＤＬグラントからこの情報を得ることができる。この方法では、検出されたＰＤＣＣＨの数に関する情報をＵＬ信号に含める必要はない。
【００５２】
実施形態の詳細な説明
図５には、本発明の実施形態を従来技術と比較した２つの表を示している。
【００５３】
左側の表は従来技術を示すものである。ＡＣＫ、ＮＡＫ、ＤＴＸから２つの制御ビットが選択される。これらの制御ビットはアップリンク送信され、２つの以前のダウンリンク送信に関連する。従来技術では、利用可能なＰＤＣＣＨ／ＰＤＳＣＨ（Ｎ）ごとにＡＣＫ／ＮＡＣＫチャネルが１つしか存在せず、Ｎ×１となる。この例ではＮ＝２である。右の表は本発明の実施形態である。２本アンテナの場合の配置点選択及びＰＵＣＣＨチャネル選択を得る際に慎重な設計が適用されていることに注目されたい。最初の表は、２つの制御ビットを表す配置点を有する２つのＰＵＣＣＨチャネルを示しており、右側の表は、個々のアンテナの２つのチャネル、すなわち２つのアップリンク（ＰＵＣＣＨ）チャネルリソースを示している。
【００５４】
同じ情報量を送信するために２倍のリソース（２つのアンテナ上に２つのチャネル）が存在するので、本発明は、ＰＵＣＣＨのより良好なアンテナダイバーシティを可能にする。他の全ての自由度は、すでにＲｅｌ’８において使用中である（循環シフト領域及びブロック領域におけるＣＤＭはＲｅｌ’８において適用されている）。
【００５５】
この例では、Ｍをコンポーネントキャリア（ＦＤＤ／ＴＤＤ）の数、又は単一のアップリンクサブフレームに関連するサブフレーム（ＴＤＤ）の数に等しいものとした場合にＭ＝２と想定しており、また、利用可能な送信アンテナグループごとに２つのＰＵＣＣＨフォーマット１／１ａ／１ｂリソースが存在することも想定している。Ｒｅｌ’８  ＴＤＤ及び本発明の方式の場合に使用するための利用可能なＱＰＳＫ配置点は、［−１、１、−ｊ及び＋ｊ］である。なお、本発明は、利用可能なＰＵＣＣＨリソース内のＱＰＳＫ配置点に限定されるものではなく、あらゆる適当な配置点を使用することができる。
【００５６】
本発明が、明示的なＤＴＸ検出をサポートし、したがってＮＡＫ及びＤＴＸが同じ状態を共有する必要がないという利点を有することが分かる。また、本発明は、異なる状態間のユークリッド距離を最適化することができる。異なる状態とは、異なるＡＣＫ／ＮＡＣＫ／ＤＴＸの組み合わせのことである。全てのＡ／Ｎ／Ｄの組み合わせを、全ての送信アンテナを介して送信する。これによりＵＬのカバレッジが最大になる。
【００５７】
ＡＣＫ／ＮＡＫバンドリングモード
２又はそれ以上のＡＣＫ／ＮＡＣＫ／ＤＴＸ信号（又はこれらを表すビット）を、個々の信号ビットを表すコードワードによりまとめてアップリンク送信する場合、バンドリングモードを参照する。ＡＣＫ／ＮＡＣＫバンドリングは、複数のＡＣＫ／ＮＡＣＫチャネル間の論理積演算などによって実現することができる。換言すれば、ＡＣＫ／ＮＡＫバンドリングを、複数のＤＬサブフレーム、又は単一のＵＬサブフレームに関連するコンポーネントキャリアにわたってコードワードごとに行って、バンドルされたＡＣＫ／ＮＡＫ結果をコードワードごとに取得する。
【００５８】
従来技術では、ＬＴＥ  Ｒｅｌ’８  ＴＤＤにおいて、ＵＥが、少なくとも１つのＤＬグラントが紛失したかどうかをＤＡＩのチェックを通じて検出する。ＤＡＩとは、ＴＤＤモードにおいてＰＤＣＣＨに含まれるダウンリンク割り当てインデックスのことであり、これを使用して、単一のＵＬサブフレームに関連する以前のスケジュールされたＰＤＣＣＨ／ＰＤＳＣＨの数を示す。ＵＥは、ＰＵＣＣＨで送信している場合にはＡＣＫ／ＮＡＫを送信しない。ＵＥは、バンドリングモードで動作している場合には何も送信せず（ＤＴＸ）、グラントのいくつかが紛失していることに気付く。
【００５９】
コードワードＤＴＸ（すなわち、少なくとも１つのＤＬグラントが紛失した状態）の場合、やはり本発明の実施形態における追加のＵＬシグナリングにより、ＡＣＫ／ＮＡＫバンドリングモードに対するサポートを実現することができる。換言すれば、ＤＡＩビットを使用せずにＡＣＫ／ＮＡＫバンドリングをサポートすることができる。好ましい実施形態では、ＵＬで受け取ったＰＤＣＣＨビットの数が、バンドルされたＡＣＫ／ＮＡＣＫメッセージとともにシグナリングされる。この構成の利点は、ＦＤＤモードではＰＤＣＣＨにＤＡＩビットを導入する必要がないという点である。
【００６０】
本発明の実施形態では、ＰＵＣＣＨチャネル／配置点の選択により、バンドルされた（単複の）ＡＣＫ／ＮＡＫが複数のアンテナグループを介して送信され、ＰＵＣＣＨチャネル／配置点の選択により、バンドルされたＤＬサブフレーム及び／又はＡＣＫ／ＮＡＫなどの状態ビットの数に関する情報を伝えることができる。上述したように、Ａ／Ｎバンドリングモードでは、ＵＥとｅＮＢが、バンドルされたＡＣＫ／ＮＡＣＫが参照しているＰＤＣＣＨの数に関する共通理解を有することが重要である（そうでなければ、上位層エラーが生じる）（下位クレーム）。
【００６１】
バンドリングモードを使用する本発明の実施形態によるチャネル選択方法の実施構成例を図６及び図７の表に示す。バンドルされた（単複の）ＡＣＫ／ＮＡＫビットの状態に基づいて、ＵＥが、ＰＵＣＣＨフォーマット１ａ又はフォーマット１ｂ（ＰＵＣＣＨチャネル）を使用してアンテナグループ＃ｎを介してＰＵＣＣＨリソース
0005504331.tif 000002
における所与のＰＵＣＣＨフォーマット１ｂチャネル上のＱＰＳＫ配置点にマッピングされる送信ビットであるｂ（０）又は（ｂ（０），ｂ（１））を送信し、この場合、
0005504331.tif 000003
及び
0005504331.tif 000004
は、最後に受け取ったＤＬグラント及び最後から２番目に受け取ったＤＬグラントに別個に含まれていた第１のＣＣＥに対応するＰＵＣＣＨチャネルを意味する。或いは、暗黙的マッピングが第１のアンテナのみに基づくと仮定した場合、所定のルールから
0005504331.tif 000005
を得ることができる。
【００６２】
この実施構成では、利用可能なＰＵＣＣＨチャネルが１つのみであるが、ＰＵＣＣＨリソースの対を利用できる（例えば、ＤＬグラントを１つしか受け取らなかった）場合、ＤＴＸ／（ＤＴＸ，ＤＴＸ）状態（すなわち、少なくとも１つＤＬグラントが紛失した状態）と、ＮＡＫ（ＮＡＫ，ＮＡＫ）状態とが、状態マッピングにおいて同じＰＵＣＣＨリソース／配置点を共有する。そして、少なくとも２つのＰＵＣＣＨチャネルが利用可能な（例えば、少なくとも２つのＤＬグラントを受け取った）場合、明示的なＤＴＸ指示をサポートすることができる。
【００６３】
図６及び図７には、本発明の異なる関連実施形態による様々なオプションを示している。全ての場合において、コードワードを表す１つの制御ビットが（ＰＵＣＣＨを介して）アップリンク送信される。利用可能なＰＵＣＣＨチャネルは１つ又は２つ存在できるが、全ての場合において、利用可能なＰＵＣＣＨリソースは２つ存在する。換言すれば、ＰＵＣＣＨリソースは、ＰＵＣＣＨチャネル、又は同じＰＵＣＣＨチャネル上の利用可能なＰＵＣＣＨリソース、すなわち単一のチャネル上の複数の要素であり得る。
【００６４】
表６Ｃは、本発明の関連実施形態による方式の類似のグループを示しているが、この場合、２ビットを送信することにより、２つのコードワードがＰＵＣＣＨで送信される。これらのビットは、指示されるＰＵＣＣＨリソースで送信される。この２つのコードワードを表す制御ビットは、ＰＵＣＣＨリソース（利用可能な場合、ＰＵＣＣＨチャネル）に関して、及び２つの異なるアンテナグループを介して広がる。表中、「ＨＡＲＱ−ＡＣＫ−ＣＷ（０）、ＨＡＲＱ−ＡＣＫ−ＣＷ（１）」は、ＤＬにおけるＭＣＷ送信に対応するＡＣＫ／ＮＡＫバンドリングの結果を意味する。表中、
0005504331.tif 000006
は、２つのアンテナグループのための別個に選択されたＰＵＣＣＨリソースを示す。「ｂ（０），ｂ（１）」は、選択された（単複の）ＰＵＣＣＨリソースで送信する必要がある２ビットを意味する。なお、これらの２ビットは、選択された配置点に対応することができる。Ｎ／Ａは「動作無し（Ｎｏ  Ａｃｔｉｏｎ）」を意味する。最上行のＨＡＲＱは、本発明がサポートできる追加状態を意味する。ｂ（０）は、両方のアンテナで送信することができる。ＰＵＣＣＨリソースが１つしか利用できず、又は送信アンテナの数が２よりも多い場合、ＢＦ又はＳＶＤベースのＰＵＣＣＨダイバーシティを実行することができる。
【００６５】
上述したように、Ｎは、ＰＵＣＣＨチャネルとすることができるＰＵＣＣＨリソースであると言える。１つのＰＵＣＣＨチャネルには１つのＰＵＣＣＨリソースが対応することができる。
【００６６】
バンドルされた（単複の）ＡＣＫ／ＮＡＫビットの状態に基づいて、ＵＥは、ＰＵＣＣＨフォーマット１ａ又は１ｂを使用してアンテナグループ＃ｎを介してＰＵＣＣＨリソース
0005504331.tif 000007
でｂ（０）又は（ｂ（０），ｂ（１））を送信し、この場合、
0005504331.tif 000008
及び
0005504331.tif 000009
は、最後に受け取ったＤＬグラント及び最後から２番目に受け取ったＤＬグラントに別個に含まれていた第１のＣＣＥに対応するＰＵＣＣＨチャネルを意味する。或いは、暗黙的マッピングが第１のアンテナのみに基づくと仮定した場合、所定のルールから
0005504331.tif 000010
を得ることができる。
【００６７】
これらの実施形態では、単一の（ＰＵＣＣＨ）チャネル上のアップリンクにおいて、アップリンク制御（ＨＡＲＱ）応答のタイプ、すなわちＮＡＫ、ＡＣＫを表す単一ビットを送信することができる。表６Ｃの例では、（２つなどの）複数のコードワードが送信されることになる。これは、２つのチャネルを介して、及び２つの別個のアンテナに広がった２ビットを送信することにより実現される。
【００６８】
ＡＣＫ／ＮＡＫ多重化モード
次に、ＡＣＫ／ＮＡＫ／ＤＴＸ配置点のマッピングを異なる方法で行う場合の、上記モードに関連する本発明による２組の実施形態について詳細に説明する。
【００６９】
ＡＣＫ／ＮＡＫ多重化：ここでは、複数のＤＬサブフレームを単一のＵＬサブフレームに関連付ける場合、１つのＤＬサブフレームに対応する１つのＡＣＫ／ＮＡＫの結果がサポートされる。換言すれば、１つのＵＬサブフレーム中に複数のＡＣＫ／ＮＡＫビットが送信され、ＡＣＫ／ＮＡＫビットの数は構成次第で決まる。
【００７０】
以下の例では、ＡＣＫ／ＮＡＫの多重化のみを考慮しているが、本実施形態及び本発明はこれに限定されるものではない。
【００７１】
高度「ツリー構造」多重化法
以下の実施形態の組では、ＵＥは、何も送信しないことによりＤＴＸ状態を示す。フィードバックコードワードがＮＡＫ及び／又はＤＴＸ状態のみで構成される場合。このような方法では、多重化したＡＣＫ−ＮＡＫのためのチャネル選択を、ｅＮＢにおけるマルチレイヤ検出を可能にするように設計して、ＡＣＫ／ＮＡＫ検出の複雑さ／コストを削減する。換言すれば、フィードバックがＮＡＫ及び／又はＤＴＸ状態のみで構成される場合、ＵＥは何も送信しない。これらの例を図８〜図１０の表に示す。
【００７２】
第１層の検出は、１つのＵＬサブフレームに関連するＤＬサブフレームの数をＭとするＭ値に依存する「チャネル検出」又は「チャネル検出＋ＢＰＳＫ配置点検出」とすることができる。第２層の検出は、Ｍ値に依存する「第１層の検出＋ＱＰＳＫ配置点検出」又は「第１層の検出＋他の２つの配置点の検出」である。ｅＮＢは、第１層の検出を通じて、個々のＰＤＳＣＨ（有効なダウンリンクフレーム）の受信に成功したか否かを確定し、すなわち、ＡＣＫ状態とＮＡＫ／ＤＴＸ状態（注：ここではＮＡＫ及びＤＴＸが同じ状態を共有することができる）とを区別する必要がある。
【００７３】
ｅＮＢは、第２層の検出を通じて、ＮＡＫ状態とＤＴＸ状態とをさらに区別することができる。
【００７４】
次に、このカテゴリに該当する本発明の様々な実施形態についてより詳細に説明する。例では、ＵＥのアンテナグループの数が２であり、ＵＥの受信帯域内にあるＣＣの数がＭである。表Ｃ１にＭ＝２、３、４及び５の場合の例を示す。
【００７５】
多重化したＡＣＫ／ＮＡＫビットの状態に基づいて、ＵＥは、ＰＵＣＣＨフォーマット１ｂを使用してアンテナグループ＃ｎを介してＰＵＣＣＨリソース
0005504331.tif 000011
でｂ（０），ｂ（１）を送信し、この場合、
0005504331.tif 000012
は、ＰＤＣＣＨ＃ｋに含まれる第１のＣＣＥに対応するＰＵＣＣＨチャネルを意味する。このＰＵＣＣＨチャネルは、対応するＰＤＣＣＨの第１のＣＣＥに基づく。これはＰＵＣＣＨリソースとＰＤＣＣＨリソースの間の暗黙的マッピングであり、Ｒｅｌ’８で定義されている。
【００７６】
ほとんどの場合、ｅＮＢは、第１層の検出を通じて、個々のＰＤＳＣＨの受信に成功したか否か、すなわち、ＡＣＫ状態とＮＡＫ／ＤＴＸ状態（注：ここではＮＡＫ及びＤＴＸが同じ状態を共有する）とを区別することができる。
【００７７】
ＣＣが２つの場合、この２つのＣＣのＡＣＫとＮＡＫ／ＤＴＸを区別するために、２＾２＝４つの異なる状態が存在する必要がある。厳密に言えば、この状態は、様々なＡＣＫ／ＮＡＫ状態を示すために、２つのアンテナグループ間の様々なリソースの組み合わせとすべきであり、この組み合わせは、チャネルをＤＴＸ、
0005504331.tif 000013
又は
0005504331.tif 000014
となるように選択することにより十分に示すことができる。
【００７８】
ＣＣが３つの場合、この３つのＣＣのＡＣＫとＮＡＫ／ＤＴＸを区別するために、２＾３＝８つの異なる状態が必要とされるが、チャネルをＤＴＸ、
0005504331.tif 000015
となるように選択すること、及びＢＰＳＫ配置を使用することにより、
0005504331.tif 000016
個のオプションが提供され、これにより８つの状態を十分に識別することができる。状態、つまりチャネル／アンテナ／配置点／ＰＵＣＣＨリソースの並べ替えにより、コードワードの変動のために数字の係数を与える必要がある。
【００７９】
ＣＣが４つの場合、ＡＣＫとＮＡＫ／ＤＴＸの区別には２＾４＝１６の状態が必要であるが、チャネル選択及びＢＰＳＫにより
0005504331.tif 000017
のオプションが提供され、これもＡＣＫ及びＮＡＫ／ＤＴＸの検出に十分である。
【００８０】
ＣＣが５つの場合、２＾５＝３２の状態が必要であり、
0005504331.tif 000018
が提供され、ほとんどの場合をカバーすることができる。
【００８１】
ほとんどの場合、ＮＢは、第２層の検出を通じてＮＡＫとＤＴＸをさらに区別することができる。
【００８２】
例えば、１つのＢＰＳＫ配置点を２つのＱＰＳＫ配置点になるように分割することにより、ｅＮＢは、ＮＡＫとＤＴＸをさらに区別することができる。例えば、ＣＣが３つの場合、１つのＢＰＳＫポイントを２つのＱＰＳＫポイントに分割して６つの考えられる選択チャネルの組を得ることにより１２の追加状態を得ることができ、これによりＣＣが３つの場合のＮＡＫとＤＴＸを十分に区別することができる。
【００８３】
さらなる強化方法
以下、本発明の実施形態によるさらなる強化方法について、ＡＣＫ／ＮＡＫ多重化をＴＤＤ  Ｒｅｌ’８と比較して詳述する。この方法では、グラントを全く受け取らなかった（全てＤＴＸ）場合、ＵＥはＤＴＸ状態のみを送信する。この方法では、ＵＥは、何も受け取らなかった場合、何も送信しない。その他の場合には、常にＡＣＫ／ＮＡＫフィードバックが送信される。図１０及び図１１に例を示す。
【００８４】
ＰＵＣＣＨチャネルの選択及び配置点のマッピングを、全てのＰＤＣＣＨがうまくいかなかった（すなわち、ＡＣＫ／ＮＡＣＫをシグナリングする理由がない）場合にのみ、このようなＤＴＸが送信されるように決定する。ＵＥが何も受け取らなければ、何もフィードバックされない。
【００８５】
使用した状態間のユークリッド距離が最大になるように配置点を選択して、ＡＣＫ／ＮＡＫ検出性能を最大にすることができる。
【００８６】
改善したＰＵＣＣＨフォーマット１ａ／１ｂ構造（ＰＵＣＣＨフォーマットタイプ）の利点として、追加リソースを使用して、比較した配置点間のユークリッド距離を拡げることにより性能を高めることができるということが挙げられる。
【００８７】
さらなる追加リソースを使用して、ＰＵＣＣＨにおける明示的なＤＴＸ検出の機能を高め（最新のＲｅｌ’８  ＴＤＤでは、多くの場合ＤＴＸ及びＮＡＫが同じ状態にマッピングされる）、ＰＵＣＣＨ上のＡ／Ｎ多重化のためのペイロードを増やすことができる。個々のアンテナからは単一のＰＵＣＣＨチャネルのみが使用され、これにより低ＣＭ  ＳＣ送信が可能になる。高度なマッピングにより、ＡＣＫ／ＮＡＣＫ／ＤＴＸコードワードをシグナリングする際にアンテナダイバーシティが利用可能となることを保証する。提案するシグナリング方式は、アンテナ出力の不均衡に対して頑強である。
【００８８】
上述の機能は、適当なソフトウェア及びデータ処理装置によって行うことができる。いずれかの適当なネットワーク要素又は管理システムに機能を組み込み、この機能を１又はそれ以上のデータプロセッサによって提供することができる。このデータプロセッサは、例えば、少なくとも１つのチップによって提供することができる。移動局などの通信装置に関連して提供される処理ユニットに、適当なデータ処理を提供することができる。このデータ処理は、いくつかのデータ処理モジュールに分散することができる。上述の機能を、独立プロセッサ又は一体型プロセッサにより提供することもできる。適切に適応する（１又は複数の）コンピュータプログラムコード製品を適当なデータ処理装置にロードする場合、これを使用して実施形態を実現することができる。動作を実現するプログラムコード製品を適当なキャリア媒体に記憶し、これによって提供することもできる。適当なコンピュータプログラムをコンピュータ可読記録媒体上で具体化することもできる。プログラムコード製品を、データネットワークを介して通信装置にダウンロードすることもできる。
【００８９】
なお、上記では無線ネットワーク、技術及び規格の例示的なアーキテクチャを参照しながらいくつかの実施形態を一例として説明したが、本明細書で例示し説明した以外のいずれかの好適な形の通信システムに実施形態を適用することもできる。
【００９０】
また、上記では本発明の例示的な実施形態について説明したが、本発明の範囲から逸脱することなく、開示した解決策にいくつかの変更及び修正を行うこともできる。
【図１】
0005504331.tif 000019
【図２】
0005504331.tif 000020
【図３】
0005504331.tif 000021
【図４】
0005504331.tif 000022
【図５】
0005504331.tif 000023
【図６】
0005504331.tif 000024
【図７】
0005504331.tif 000025
【図８】
0005504331.tif 000026
【図９】
0005504331.tif 000027
【図１０−１】
0005504331.tif 000028
【図１０−２】
0005504331.tif 000029
【図１１】
0005504331.tif 000030
【図１２】
0005504331.tif 000031